(57)【要約】【課題】光を利用して情報が記憶および／または再生される光記憶再生素子を備えた光記憶媒体カートリッジであって、光記憶媒体カートリッジの容器に形成されたのデータ読み取り／書き込み用開口を保護するためのシャッタが不用意に移動せず、光記憶再生素子の保護が充分に行なわれる光記憶媒体カートリッジを提供することである。【解決手段】光記憶媒体カートリッジがシャッタを保持可能なロック機構と、ロック機構によるシャッタの保持を解除可能なロック解除機構と、を有し、ロック機構およびロック解除機構は容器の外壁および／またはシャッタに遮蔽されて容器の外から接触されないように配置され、ロック解除機構に働く磁力によってロック機構によるシャッタの保持を解除する構成として、上記問題を解決した。【選択図】　図３
2004094998.tif 000002
【特許請求の範囲】
【請求項１】
光を利用して情報が記憶および／または再生される光記憶再生素子と、
前記記憶再生素子が収納され、記憶再生素子用開口を備えた容器と、
前記記憶再生素子用開口を遮蔽する第１の位置と前記記憶再生素子用開口を遮蔽しない第２の位置との間を移動するシャッタと、
前記第１の位置で前記シャッタを保持可能なロック機構と、
前記ロック機構による前記シャッタの保持を解除可能なロック解除機構と、
を有し、
前記ロック機構および前記ロック解除機構は前記容器の外壁および／または前記シャッタに遮蔽されて前記容器の外から接触されないように配置され、
前記ロック解除機構に働く磁力によって前記ロック機構による前記シャッタの保持を解除することを特徴とする、光記憶媒体カートリッジ。
【請求項２】
前記ロック解除機構が所定磁束密度の磁界に曝されたときに、前記ロック解除機構は前記ロック機構による前記シャッタの保持を解除することを特徴とする、請求項１に記載の光記憶媒体カートリッジ。
【請求項３】
前記ロック機構は前記シャッタに取り付けられており、
前記ロック機構は前記容器と係合する係合部を有し、
前記係合部が前記容器と係合するときに前記シャッタは前記第１の位置で保持され、
前記ロック解除機構は前記ロック機構に取り付けられた永久磁石であり、前記永久磁石を前記所定磁束密度の磁界に曝したときに働く斥力によって前記係合部と前記容器との係合状態を解除するように前記ロック機構が移動することを特徴とする、請求項１または請求項２に記載の光記録媒体カートリッジ。
【請求項４】
前記ロック機構は前記容器に取り付けられており、
前記ロック機構は前記シャッタと係合する係合部を有し、
前記係合部が前記シャッタと係合するときに前記シャッタは前記第１の位置で保持され、
前記ロック解除機構は前記ロック機構に取り付けられた永久磁石であり、前記永久磁石を前記所定磁束密度の磁界に曝したときに働く斥力によって前記係合部と前記シャッタとの係合状態を解除するように前記ロック機構が移動することを特徴とする、請求項１または請求項２に記載の光記録媒体カートリッジ。
【請求項５】
前記光記憶再生素子が光ディスクであることを特徴とする、請求項１から請求項４のいずれかに記載の光記録媒体カートリッジ。
【請求項６】
請求項１から請求項５のいずれかに記載の光記憶媒体カートリッジに情報を記憶させるおよび／または光記憶媒体カートリッジから情報を再生する光記録媒体ドライブであって、
前記光記憶媒体カートリッジのシャッタを前記第２の位置に移動させるシャッタ駆動部材に磁石が取り付けられており、前記光記憶媒体カートリッジを前記光記録媒体ドライブに装着したときに前記磁石が前記光記憶媒体カートリッジのロック解除機構に近接することによって、前記光記憶媒体カートリッジのシャッタの保持を解除するための磁力が前記ロック解除機構に働くことを特徴とする、光記録媒体ドライブ。
【請求項７】
前記光記録媒体ドライブのハウジングには、前記光記憶媒体カートリッジを挿入するためのスロットが形成されており、前記スロットに前記光記憶媒体を挿入すると前記磁石が前記光記憶媒体カートリッジのロック解除機構に近接することを特徴とする、請求項６に記載の光記録媒体ドライブ。
【請求項８】
請求項１から請求項５のいずれかに記載の光記憶媒体カートリッジと、前記光記憶媒体カートリッジに情報を記憶させるおよび／または前記光記憶媒体カートリッジから情報を再生する光記録媒体ドライブとを有し、
前記光記録媒体ドライブが、
前記光記憶媒体カートリッジのシャッタを前記第２の位置に移動させるシャッタ駆動部材に磁石が取り付けられており、前記光記憶媒体カートリッジを前記光記録媒体ドライブに装着したときに前記磁石が前記光記憶媒体カートリッジのロック解除機構に近接することによって、前記光記憶媒体カートリッジのシャッタの保持を解除するための磁力が前記ロック解除機構に働くことを特徴とする、光記憶媒体システム。
【請求項９】
前記光記録媒体ドライブのハウジングには、前記光記憶媒体カートリッジを挿入するためのスロットが形成されており、前記スロットに前記光記憶媒体を挿入すると前記磁石が前記光記憶媒体カートリッジのロック解除機構に近接することを特徴とする、請求項８に記載の光記録媒体システム。
【発明の詳細な説明】
【０００１】
【発明の属する技術分野】
本発明は、光を利用して情報が記憶および／または再生される光記憶再生素子を備えた光記憶媒体カートリッジ、前記光記憶媒体カートリッジに情報を記憶させるおよび／または光記憶媒体カートリッジから情報を再生する光記録媒体ドライブ、および光記憶媒体カートリッジと光記憶媒体カートリッジに情報を記憶させるおよび／または光記憶媒体カートリッジから情報を再生する光記録媒体ドライブとを有する光記録媒体システムに関する。
【０００２】
【従来の技術】
ＭＯ（光磁気ディスク）等の光記憶媒体カートリッジは、ディスクなどの光記憶再生素子に付着する塵埃等による記録再生性能の劣化を防止するため、カートリッジ容器のデータ読み取り／書き込み用開口をシャッタで覆う構成になっている。光記憶媒体ドライブは、データの読み取りや書き込み時にこのシャッタを移動させて開口が露出されるようにする。
【０００３】
また、例えば、ＭＤ（ミニディスク）などのように、光記憶媒体カートリッジがロック機構を有し、自然にシャッタが移動して開口が露出しないようにしているものもある。このようなロック機構を備えた光記憶媒体カートリッジの一例を図５に示す。
【０００４】
図５に示した一例においては、光記憶媒体カートリッジ１０１は、ケース１０２、シャッタ１０３、係合部材１０４、ロックアーム１０５、トーションスプリング１０７、光記憶再生素子であるディスク１０９を有する。
【０００５】
ディスク１０９はケース１０２内に収納されている。ケース１０２には開口１０２ａが形成されており、光記憶媒体カートリッジ１００の再生装置は開口１０２ａに記録／再生ヘッドを近接させてディスク１０９から情報を読み取る、或いはディスク１０９に情報を記録する。
【０００６】
シャッタ１０３は情報の記録／再生時以外の時の開口１０２ａの露出を防止する。図５に示された状態ではシャッタ１０３は開口１０２ａを覆っている。シャッタ１０３はケース１０２上を所定方向（図５中左右方向）に移動可能であり、図５に示された状態からシャッタ１０３が図５中左方向に移動すると開口１０２ａが露出してディスク１０９への情報の記録／再生が可能となる。
【０００７】
係合部材１０４はシャッタ１０３にねじ止めされており、シャッタ１０３と係合部材１０４とは一体となってケース１０２上でスライド可能である。ロックアーム１０５はアーム部１０５ａ、アーム部１０５ａの一端に形成されたフック部１０５ｂ、アーム部１０５ａの他端に形成された回転軸係合孔１０５ｃとを有する。回転軸係合孔１０５ｃにはケース１０２の内壁に形成された第１の回転軸１０２ｂが挿着されており、ロックアーム１０５は回転軸１０５ａ回りに回動可能となっている。シャッタ１０３が図５の位置でフック部１０５ｂは係合部材１０４と係合可能であり、フック部１０５ｂが係合部材１０４と係合しているときはシャッタ１０３のスライドが防止される。図５に示された状態からロックアーム１０５を図５中反時計回りに回動させてフック部１０５ｂをケース１０２の中心に向かって（図５中下向き）移動させると、フック部１０５ｂと係合部材１０４との係合状態が解除され、シャッタ１０３はスライド可能となる。
【０００８】
また、トーションスプリング１０７にはケース１０２の内壁に形成された第２の回転軸１０２ｃが挿着されている。トーションスプリング１０７の一端はロックアーム１０５のアーム部１０５ａに、他端はケース１０２の内壁に当接しており、トーションスプリング１０７はアーム部１０５ａをケース１０２の外側に向かって（図５中上向き）付勢している。従って、トーションスプリング１０７による付勢力以上の力でロックアーム１０５のフック部１０５ｂを押し込まない限りフック部１０５ｂと係合部材１０４との係合状態が解除されない。
【０００９】
しかしながら、上記の光記憶媒体カートリッジにおいては細いピンなどをフック部１０５ｂに押し当てるとフック部１０５ｂと係合部材１０４との係合状態が解除されてしまうため、光記憶再生素子の保護を充分に行なえているとはいえなかった。
【００１０】
【発明が解決しようとする課題】
上記の問題に鑑み、本発明は、不用意にシャッタが移動せず、光記憶再生素子の保護が充分に行なわれる光記憶媒体カートリッジ、光記憶媒体ドライブ、および光記憶媒体システムを提供することを目的とする。
【００１１】
【課題を解決するための手段】
上記の目的を達成するために、本発明の光記憶媒体カートリッジは、記憶再生素子が収納され記憶再生素子用開口を備えた容器と、記憶再生素子用開口を遮蔽する第１の位置と記憶再生素子用開口を遮蔽しない第２の位置との間を移動するシャッタと、第１の位置でシャッタを保持可能なロック機構と、ロック機構によるシャッタの保持を解除可能なロック解除機構と、を有し、ロック機構およびロック解除機構は容器の外壁および／またはシャッタに遮蔽されて容器の外から接触されないように配置され、ロック解除機構に働く磁力によってロック機構によるシャッタの保持を解除する。
【００１２】
従って、本発明によれば、磁石または強磁性体を用いてロック解除機構に磁力を働かせない限りロック機構によるシャッタの保持は解除されないため、不用意にシャッタが移動される可能性が低下する。
【００１３】
また、ロック機構がシャッタに取り付けられており、ロック機構は容器と係合する係合部を有し、係合部がシャッタと係合するときにシャッタは第１の位置で保持され、ロック解除機構は前記ロック機構に取り付けられた永久磁石であり、永久磁石を前記所定磁束密度の磁界に曝したときに働く斥力によって係合部とシャッタとの係合状態を解除するようにロック解除が移動する構成としても良い。或いは、ロック機構は前記容器に取り付けられており、ロック機構はシャッタと係合する係合部を有し、係合部が容器と係合するときにシャッタは第１の位置で保持され、ロック解除機構は前記ロック機構に取り付けられた永久磁石であり、永久磁石を所定磁束密度の磁界に曝したときに働く斥力によって係合部と容器との係合状態を解除するようにロック解除が移動する構成としても良い。
【００１４】
このような構成とすることにより、永久磁石と同極の磁石を所定位置に近づけない限りロック機構によるシャッタの保持は解除されないため、不用意にシャッタが移動される可能性がさらに低下する。
【００１５】
【発明の実施の形態】
本発明の実施の形態による光記憶媒体システムを図１に示す。本実施形態の光記憶媒体システム１は光ディスクカートリッジ１１と、光ディスクドライブ２１とを有する。
【００１６】
図１に示されるように、光ディスクドライブ２１の本体には光ディスクカートリッジが挿置されるスロット２２が形成されている。スロット２２の内壁には回転軸２６が形成されている。回転軸２６はシャッタオープンアーム２３の一端に形成された係合孔２３ｂに嵌入されており、シャッタオープンアーム２３は回転軸２６を中心にスロット２２内を揺動可能となっている。
【００１７】
また、回転軸２６にはトーションスプリング２４が取り付けられている。トーションスプリング２４の一端はシャッタオープンアーム２３のアーム部２３ｃ上に固定されており、他端はスロット２２に固定されている。トーションスプリング２４はシャッタオープンアーム２３を図１中反時計回りの方向に付勢している。
【００１８】
また、スロット２２の内壁にはストッパ２５が固定されている。ストッパ２５はシャッタオープンアーム２３の揺動範囲を規制し、自然状態（オープンアーム２３にトーションスプリング２４による付勢力およびストッパ２５による抗力のみがかかっている状態）でシャッタオープンアーム２３が所定位置に保持されるようにしている。
【００１９】
光ディスクカートリッジ１１は、ケース１２、シャッタ１３、光記憶再生素子であるディスク１９を有する。
【００２０】
ディスク１９はケース１２内に収納されている。ケース１２には開口１２ａが形成されており、光ディスクドライブ２１は開口１２ａに図示しない記録／再生ヘッドを近接させてディスク１９から情報を読み取る、或いはディスク１９に情報を記録する。
【００２１】
シャッタ１３は情報の記録／再生時以外の時の開口１２ａの露出を防止する。図１に示された状態ではシャッタ１３は開口１２ａを覆っている。シャッタ１３はケース１２上を所定方向（図１中左右方向）に移動可能であり、図１に示された状態からシャッタ１３が図１中左方向に移動すると開口１２ａが露出してディスク１９への情報の記録／再生が可能となる。また、シャッタ１３が開口１２ａを覆っている状態ではロック機構（後述）によってシャッタ１３が自然に移動しないようになっている。
【００２２】
光ディスクドライブ２１のシャッタオープンアーム２３の他端には磁石２３ａが回動可能に取り付けられている。シャッタオープンアーム２３が所定位置に保持されている状態から光ディスクカートリッジ１１をスロット２２に挿入すると、光ディスクカートリッジ１１のシャッタ１３に形成されたノッチ１３ａに磁石２３ａが当接する。
【００２３】
この状態からさらに光ディスクカートリッジ１１をスロット２２の奥に挿入すると、ロック解除機構（後述）が作動してシャッタ１３が移動可能になる。次いで、ノッチ１３ａと磁石２３ａが係合したままシャッタオープンアーム２３が図１中時計回りに回動する。この結果、図２のようにシャッタ１３が図２中左側にスライドして開口１２ａが露出する。
【００２４】
光ディスクカートリッジ１１のシャッタ１３がケース１２の開口１２ａを覆うようにシャッタ１３を保持するロック機構と、このロック機構によるシャッタの保持を解除するロック解除機構を図面を用いて以下に説明する。図３は本実施形態の光ディスクカートリッジ１１のシャッタ１３を一部切り欠いた拡大図である。
【００２５】
シャッタ１３とケース１２との間にはスペーサ１７が挿置されている。スペーサ１７はケース１２内に設置された図示しないレールにガイドされて図３中左右方向のみに移動可能であり、かつシャッタ１３に固定されている。従って、シャッタ１３は図３中左右方向のみに移動可能となっている。
【００２６】
シャッタ１３にはロックアーム１４の回転軸１４ｃが挿通される貫通孔１３ｂ（図１、２参照）が形成されている。ロックアーム１４は中央に回転軸１４ｃが形成されたアーム状の部材であり、その一端（図３中左端）はフック部１４ａが形成され、他端（図３中右端）には磁石１４ｂが取り付けられている。ロックアーム１４の他端はシャッタ１３のノッチ１３ａに近接して配置されている。また、磁石１４ｂのノッチ１３ａに近位の面はシャッタオープンアーム２３の磁石２３ａのノッチ１３ａに近位の面と同極である。従って、シャッタオープンアーム２３の磁石２３ａをノッチ１３ａに近づけると、シャッタオープンアーム２３の磁石２３ａとロックアーム１４の磁石１４ｂとの間には斥力が働くようになっている。なお、ロックアーム１４はシャッタ１３およびケース１２によって遮蔽されており、ケース１２の外部からピン等をロックアーム１４に押し当ててロックアームを動かすことができないようになっている。
【００２７】
フック部１４ａは、シャッタ１３が開口１２ａを覆っているときにケース１２上に形成されたノッチ１２ｂと係合可能となっている。フック部１４ａとノッチ１２ｂが係合しているときはシャッタ１３のスライドが防止される。
【００２８】
また、回転軸１４ｃにはトーションスプリング１６が取り付けられている。トーションスプリング１６の一端はシャッタ１３の内壁（図３中上端）に当接している。また、トーションスプリング１６の他端はロックアーム１４の回転軸１４ｃとフック部１４ａの間に固定されている。トーションスプリング１６はロックアーム１４の一端側を反時計回りに付勢しており、この結果、トーションスプリング１６によってフック部１４ａは図３中下側に付勢される。シャッタ１３が開口１２ａを覆っている時は、トーションスプリング１６はフック部１４ａがノッチ１２ｂに係合するようにフック部１４ａを付勢する。以上のように、ロックアーム１４とトーションスプリング１６からなるロック機構によって、シャッタ１３の移動が防止される。
【００２９】
図３に示された状態から光ディスク１１をスロット２２の奥側に押し込んでシャッタオープンアーム２３の磁石２３ａがノッチ１３ａに当接した状態の、光ディスクカートリッジ１１のシャッタ１３を一部切り欠いた拡大図を図４に示す。
【００３０】
シャッタオープンアーム２３の磁石２３ａをノッチ１３ａに近接させるとシャッタオープンアーム２３の磁石２３ａとロックアーム１４の磁石１４ｂとの間に斥力が働く。この結果、ロックアーム１４の他端側は回転軸１４ｃを中心に図４中時計回りに回動し、ロックアーム１４のフック部１４ａとケース１２のノッチ１２ｂとの係合状態が解除される。従って、ロックアーム１４の磁石１４ｂから構成されるロック解除機構によってシャッタ１３は図４中左右方向にスライド可能になる。
【００３１】
以上のように、本実施形態のロック機構およびロック解除機構によれば、ロックアーム１４がケース１２およびシャッタ１３に覆われているため、ケース１２の外からピン等をロックアーム１４に押し当ててロックアーム１４を動かしてロックアーム１４のフック部１４ａとケース１２のノッチ１２ｂとの係合状態を解除することができないようになっている。
【００３２】
なお、本実施形態においてはロックアーム１４がシャッタ１３に回動可能に取り付けられ、ロックアーム１４のフック部がケース１２のノッチ１２ｂに係合してシャッタ１３の移動を防止する構成としているが、本発明は上記構成に限定されるものではない。たとえば、ロックアームがケースに取り付けられ、ロックアームのフック部がシャッタに形成されたノッチに係合してシャッタの移動を防止する構成としてもよい。
【００３３】
【発明の効果】
以上のように、本発明によれば、光記憶媒体カートリッジの容器に形成されたのデータ読み取り／書き込み用開口を覆うためのシャッタが不用意に移動せず、光記憶媒体カートリッジの光記憶再生素子の保護が充分に行なわれる。
【図面の簡単な説明】
【図１】本発明の実施の形態の光記憶媒体システムの概略図である。
【図２】本発明の実施の形態の光記憶媒体システムの概略図であって、光ディスクカートリッジを光ディスクドライブに挿入したときのものである。
【図３】本発明の実施の形態の光ディスクカートリッジのシャッタを一部切り欠いた拡大図である。
【図４】本発明の実施の形態の光ディスクカートリッジのシャッタを一部切り欠いた拡大図であって、シャッタオープンアームのフックがシャッタのノッチに当接したときのものである。
【図５】従来の光記憶媒体カートリッジの一例の概略図である。
【符号の説明】
１　　　　光記憶媒体カートリッジ
１１　　　　光ディスクカートリッジ
１２　　　　ケース
１２ａ　　　開口
１２ｂ　　　ノッチ
１３　　　　シャッタ
１３ａ　　　ノッチ
１３ｂ　　　貫通孔
１４　　　　ロックアーム
１４ａ　　　フック部
１４ｂ　　　磁石
１４ｃ　　　回転軸
１６　　　　トーションスプリング
１７　　　　スペーサ
１９　　　　ディスク
２１　　　　光ディスクドライブ
２２　　　　スロット
２３　　　　シャッタオープンアーム
２３ａ　　　磁石
２４　　　　トーションスプリング
【図１】
2004094998.tif 000003
【図２】
2004094998.tif 000004
【図３】
2004094998.tif 000005
【図４】
2004094998.tif 000006
【図５】
2004094998.tif 000007